(57)【要約】【課題】  電気かみそりを使用する都度、電気かみそりを洗浄する場合であっても、内蔵する二次電池が蓄えることができる電気容量が急激に減少することを防止し、二次電池の寿命を可及的に長くすることができる電気かみそりセットを提供する。【解決手段】  電気かみそりＳの第２制御部１５０は、電気かみそりＳに内蔵されたバッテリＢの電圧の検出制御を所定の間隔で実施している。第２制御部１５０は、第１充電指令信号が与えられた場合、フラグ設定部１５１を参照してそこにフラグが設定されているか否かを判断し、フラグが設定されていると判断した場合、第１スイッチ手段１７１を閉にしてバッテリＢへの充電を実行する。【選択図】  図８
2008284277.tif 000002
【特許請求の範囲】
【請求項１】
電気かみそりのヘッド部を洗浄する洗浄手段、前記電気かみそりに設けられた二次電池を充電すべく、電気かみそりに電力を供給する給電手段、及び前記洗浄手段の動作を制御する第１制御部を具備し、該第１制御部は、少なくとも前記洗浄手段による洗浄モードを実施した後に前記給電手段による充電モードを実施し得るようになしてある電気かみそり用洗浄装置と、前記給電手段に接続する被給電手段、二次電池、髭を剃るヘッド部、該ヘッド部を駆動するモータ、及び該モータの動作を制御する第２制御部を具備し、洗浄モードの場合は前記洗浄手段によってヘッド部が洗浄され、充電モードの場合は前記給電手段による二次電池への充電を実施し得るようになしてある電気かみそりとを備える電気かみそりセットにおいて、
前記電気かみそりは二次電池の電圧を検出する検出回路を備えており、
前記第２制御部又は第１制御部は、前記検出回路が検出した検出値が予め設定された閾値以下である場合は前記二次電池への充電又は前記充電モードの実施を許可し、前記検出値が前記閾値を越えている場合は前記二次電池への充電又は前記充電モードの実施を不許可にするようになしてあることを特徴とする電気かみそりセット。
【請求項２】
前記電気かみそり用洗浄装置は、電気かみそりのヘッド部を乾燥する乾燥手段、及び前記洗浄モードの後に前記乾燥部による乾燥モードを実施する第１動作と、前記乾燥モードを実施する第２動作とを選択するための１又は複数の選択ボタンを具備し、
前記第１制御部は、前記選択ボタンによって第１動作又は第２動作が選択された場合、第１動作の後又は第２動作の後に、充電モードの実施の許可か不許可かを行うようになしてある請求項１記載の電気かみそりセット。
【請求項３】
前記第１制御部は、充電モードに係る第１充電指令を前記第２制御部へ出力する手段を具備しており、
前記電気かみそりは、前記被給電手段と二次電池との接続を開／閉するスイッチ手段を具備し、
前記第２制御部は、フラグを設定するフラグ設定部と、前記検出回路が検出した検出値を適宜の間隔で取り込む手段と、取り込んだ検出値が前記閾値以下であるか否かを判断する手段と、検出値が閾値以下であった場合、前記フラグ設定部にフラグを設定する手段と、前記第１充電指令が送信された場合、前記フラグ設定部にフラグが設定されているか否かを判断する手段と、フラグが設定されている場合は前記スイッチ手段を閉にし、フラグが設定されていない場合は前記スイッチ手段を開にする手段を有する
請求項１又は２記載の電気かみそりセット。
【請求項４】
前記電気かみそり用洗浄装置には、前記二次電池への充電を実施させるための充電ボタンが、前記選択ボタンとは位置を異ならせて設けてあり、
前記第２制御部又は第１制御部は、充電ボタンが操作された場合、前記検出回路が検出した検出値に拘らず、前記二次電池への充電又は前記充電モードの実施を許可するようになしてある
請求項２記載の電気かみそりセット。
【請求項５】
前記充電ボタンは前記選択ボタンの近傍に設けてある請求項４記載の電気かみそりセット。
【請求項６】
前記選択ボタンの面積は前記充電ボタンの面積より大きくなしてある請求項５記載の電気かみそりセット。
【請求項７】
前記電気かみそりのモータは、洗浄モード中、前記被給電手段と接続されるようになしてあり、
前記第２制御部は、洗浄モード中に前記モータを適宜のタイミングで駆動させるようにしてある
請求項１から６のいずれかに記載の電気かみそりセット。
【請求項８】
前記電気かみそり用洗浄装置には、外部から入力される電力の前記給電手段への供給／供給停止を切り替える切替スイッチ手段が設けてあり、
前記第１制御部は、充電モードが終了した場合、前記切替スイッチ手段を供給停止に切り替えるようになしてある請求項１から７のいずれかに記載の電気かみそりセット。
【発明の詳細な説明】
【技術分野】
【０００１】
本発明は、二次電池を内蔵する電気かみそり及び該電気かみそりを支持して当該電気かみそりの刃を洗浄する電気かみそり用洗浄装置を備える電気かみそりセットに関する。
【背景技術】
【０００２】
二次電池を内蔵する電気かみそりを倒立支持し、当該電気かみそりのヘッド部を構成する外刃及び内刃を洗浄液で洗浄する電気かみそり用洗浄装置（以後、洗浄装置ともいう）が実用化されている（例えば、特許文献１）。
【０００３】
かかる洗浄装置は、電気かみそりに設けてある被給電用接点に接続する給電用接点、電気かみそりのヘッド部を洗浄すべく、該ヘッド部を装入させる箱状の洗浄皿、洗浄液を貯留するタンク、タンク内の洗浄液を前記洗浄皿内へ供給するポンプ、洗浄皿内へ送風するファン等を備えている。
【０００４】
ユーザが、前記洗浄皿内に電気かみそりのヘッド部を装入させて、前記被給電用接点と給電用接点とを接続させた後、洗浄装置に設けられたスタートボタンを操作した場合、洗浄装置は、前記ポンプによってタンク内の洗浄液を洗浄皿内へ、電気かみそりのヘッド部が浸漬する量だけ供給させた後、電気かみそりへ駆動信号を与えてヘッド部に内蔵された内刃を駆動させ、ヘッド部を構成する内刃及び外刃に付着した皮脂等の汚れを洗浄除去させる洗浄動作を実行した後、電気かみそりへ駆動停止信号を与えるとともに、洗浄皿からタンク内へ洗浄液を排出させ、前記ファンによって洗浄皿内のヘッド部に所定時間送風して該ヘッド部を乾燥させる乾燥動作を実行する。
【０００５】
そして、洗浄装置は、このような洗浄・乾燥動作が終了した後も給電用接点及び該給電用接点に接続された被給電用接点を介して電気かみそりに給電し、電気かみそりをして内蔵された二次電池に充電せしめる。
【特許文献１】特開平７−２３６５１４号公報
【発明の開示】
【発明が解決しようとする課題】
【０００６】
しかしながら、このような洗浄装置を備える従来の電気かみそりセットにあっては、洗浄に伴って電気かみそりの二次電池の充電が必ず行われる一方、ユーザは電気かみそりを使用する都度、洗浄装置によってヘッド部の洗浄を行う場合が多い。このように、電気かみそりの二次電池から殆ど放電されていないにも拘らず、当該二次電池が充電されるという事態が頻繁に繰り返されるため、電気かみそりの二次電池が蓄えることができる電気容量が急激に減少し、二次電池の寿命が短くなるという問題があった。
【０００７】
本発明は、斯かる事情に鑑みてなされたものであって、電気かみそりを使用する都度、当該電気かみそりを洗浄する場合であっても、電気かみそりに内蔵された二次電池が蓄えることができる電気容量が急激に減少することを防止し、二次電池の寿命を可及的に長くすることができる電気かみそりセットを提供する。
【課題を解決するための手段】
【０００８】
（１）  本発明では、電気かみそりのヘッド部を洗浄する洗浄手段、前記電気かみそりに設けられた二次電池を充電すべく、電気かみそりに電力を供給する給電手段、及び前記洗浄手段の動作を制御する第１制御部を具備し、該第１制御部は、少なくとも前記洗浄手段による洗浄モードを実施した後に前記給電手段による充電モードを実施し得るようになしてある電気かみそり用洗浄装置と、前記給電手段に接続する被給電手段、二次電池、髭を剃るヘッド部、該ヘッド部を駆動するモータ、及び該モータの動作を制御する第２制御部を具備し、洗浄モードの場合は前記洗浄手段によってヘッド部が洗浄され、充電モードの場合は前記給電手段による二次電池への充電を実施し得るようになしてある電気かみそりとを備える電気かみそりセットにおいて、前記電気かみそりは二次電池の電圧を検出する検出回路を備えており、前記第２制御部又は第１制御部は、前記検出回路が検出した検出値が予め設定された閾値以下である場合は前記二次電池への充電又は前記充電モードの実施を許可し、前記検出値が前記閾値を越えている場合は前記二次電池への充電又は前記充電モードの実施を不許可にするようになしてあることを特徴とする。
【０００９】
電気かみそりは二次電池の電圧を検出する検出回路を備えており、電気かみそりが具備する第２制御部は検出回路が検出した検出値が予め設定された閾値以下である場合は二次電池への充電を許可し、前記検出値が前記閾値を越えている場合は二次電池への充電を不許可にする。または、電気かみそり用洗浄装置が具備する第１制御部は、検出回路が検出した検出値が予め設定された閾値以下である場合は充電モードの実施を許可し、前記検出値が前記閾値を越えている場合は充電モードの実施を不許可にする。
【００１０】
これによって、二次電池に蓄えられた電気量が予め定めた閾値より多い場合には二次電池への充電が実施されず、二次電池に蓄えられた電気量が前記閾値以下の場合に二次電池への充電が実施されるため、二次電池が適宜電容量を放電するまで充電が行われることが回避される。従って、電気かみそりを使用する都度、当該電気かみそりを電気かみそり用洗浄装置で洗浄する場合であっても、電気かみそりに内蔵された二次電池が蓄えることができる電気容量が急激に減少することを防止し、二次電池の寿命を可及的に長くすることができる。
【００１１】
（２）  また、本発明では、前記電気かみそり用洗浄装置は、電気かみそりのヘッド部を乾燥する乾燥手段、及び前記洗浄モードの後に前記乾燥部による乾燥モードを実施する第１動作と、前記乾燥モードを実施する第２動作とを選択するための１又は複数の選択ボタンを具備し、前記第１制御部は、前記選択ボタンによって第１動作又は第２動作が選択された場合、第１動作の後又は第２動作の後に、充電モードの実施の許可か不許可かを行うようになしてあることも特徴とする。
【００１２】
選択ボタンによって、洗浄モードの後に乾燥モードを実施する第１動作が選択された場合であっても、乾燥モードを実施する第２動作が選択された場合であっても、それらの動作が終了した後に、充電モードの実施の許可か不許可かを行うようになっているため、選択された第１動作又は第２動作が確実に実行される。
【００１３】
一方前述したように、電気かみそりが具備する第２制御部は、検出回路が検出した検出値が予め設定された閾値以下である場合は二次電池への充電を許可し、前記検出値が前記閾値を越えている場合は二次電池への充電を不許可にする。または、電気かみそり用洗浄装置が具備する第１制御部は、検出回路が検出した検出値が予め設定された閾値以下である場合は充電モードの実施を許可し、前記検出値が前記閾値を越えている場合は充電モードの実施を不許可にする。
【００１４】
従って、第１及び第２のいずれの動作が選択された場合であっても、二次電池が適宜電気量を放電するまで充電が行われることが回避され、電気かみそりに内蔵された二次電池が蓄えることができる電気容量が急激に減少することが防止され、二次電池の寿命を可及的に長くすることができる。
【００１５】
（３）  更に、本発明では、前記第１制御部は、充電モードに係る第１充電指令を前記第２制御部へ出力する手段を具備しており、前記電気かみそりは、前記被給電手段と二次電池との接続を開／閉するスイッチ手段を具備し、前記第２制御部は、フラグを設定するフラグ設定部と、前記検出回路が検出した検出値を適宜の間隔で取り込む手段と、取り込んだ検出値が前記閾値以下であるか否かを判断する手段と、検出値が閾値以下であった場合、前記フラグ設定部にフラグを設定する手段と、前記第１充電指令が送信された場合、前記フラグ設定部にフラグが設定されているか否かを判断する手段と、フラグが設定されている場合は前記スイッチ手段を閉にし、フラグが設定されていない場合は前記スイッチ手段を開にする手段を有することも特徴とする。
【００１６】
電気かみそりは、電気かみそり用洗浄装置の給電手段に接続する被給電手段と二次電池との接続を開／閉するスイッチ手段を具備しており、第２制御部は、フラグ設定部にフラグが設定されている場合は前記スイッチ手段を閉にすることによって二次電池への充電を不許可にし、フラグが設定されていない場合は前記スイッチ手段を開にすることによって二次電池への充電を許可する。
これによって、二次電池に蓄えられている電気量に応じて、二次電池への充電の許可・不許可を確実に実行することができる。
【００１７】
（４）  一方、本発明では、前記電気かみそり用洗浄装置には、前記二次電池への充電を実施させるための充電ボタンが、前記選択ボタンとは位置を異ならせて設けてあり、前記第２制御部又は第１制御部は、充電ボタンが操作された場合、前記検出回路が検出した検出値に拘らず、前記二次電池への充電又は前記充電モードの実施を許可するようになしてあることを特徴とする。
【００１８】
選択ボタンとは位置を異ならせて充電ボタンが設けてあり、電気かみそりの第２制御部又は電気かみそり用洗浄装置の第１制御部は、充電ボタンが操作された場合、検出回路が検出した検出値に拘らず、前記二次電池への充電又は前記充電モードの実施を許可する。
これによって、旅行・出張等、電気かみそりを一定期間充電させることができない予定が存在する場合、二次電池に蓄えられている電気量に拘らず、当該二次電池を予め満充電させておくことができる。
【００１９】
（５）  また、本発明では、前記充電ボタンは前記選択ボタンの近傍に設けてあることも特徴とする。
このように両ボタンを互いに接近させた位置に配置することによって、両ボタンの操作性が向上する。
【００２０】
（６）  更に、本発明では、前記選択ボタンの面積は前記充電ボタンの面積より大きくなしてあることも特徴とする。
選択ボタンの使用頻度は充電ボタンの使用頻度より大きい。従って、選択ボタンの面積を充電ボタンの面積より大きくなすことによって、両ボタンを互いに接近させた位置に配置した場合であっても、使用頻度が高い選択ボタンを確実に操作させることができる。
【００２１】
（７）  一方、本発明では、前記電気かみそりのモータは、洗浄モード中、前記被給電手段と接続されるようになしてあり、前記第２制御部は、洗浄モード中に前記モータを適宜のタイミングで駆動させるようにしてあることも特徴とする。
洗浄モード中に電気かみそりのヘッド部を駆動するモータを電気かみそり用洗浄装置からの給電によって駆動させる。
これによって、二次電池に蓄えられた電気量に拘らず、安定してモータを駆動させることができ、効率の高い洗浄を行うことができる。
【００２２】
（８）  また、本発明では、前記電気かみそり用洗浄装置には、外部から入力される電力の前記給電手段への供給／供給停止を切り替える切替スイッチ手段が設けてあり、前記第１制御部は、充電モードが終了した場合、前記切替スイッチ手段を供給停止に切り替えるようになしてあることも特徴とする。
電気かみそり用洗浄装置の第１制御部は、充電モードが終了した場合、外部から入力される電力の給電手段への供給／供給停止を切り替える切替スイッチ手段を供給停止に切り替える。
【００２３】
これによって、電気かみそりを洗浄・乾燥・充電させていない場合、電気かみそり用洗浄装置の給電手段から電気かみそりの被給電手段への電力の供給が停止されるため、給電手段に具備された接点及び被給電手段に具備された接点の電蝕が可及的に防止され、給電手段の接点及び被給電手段の接点の寿命が可及的に長くなる。
【発明を実施するための最良の形態】
【００２４】
（本発明の実施形態）
図１は、本発明に係る電気かみそり用洗浄装置を示す外観斜視図であり、図中、３は後述するように電気かみそりのヘッド部を宙吊り状態で支持する箱状の受け部である。また、図２は図１に示した電気かみそり用洗浄装置Ｗの受け部３に電気かみそりＳのヘッド部を装入させた状態を示す外観斜視図である。
【００２５】
両図に示したように、電気かみそり用洗浄装置Ｗは、四隅を円弧状になした略直方体形状の本体１の背面側にアーム部２を立設して構成してある。本体１の上面略中央位置には電気かみそりを装入させる開口部３１が開設してあり、本体１内には、前述した受け部３が前記開口部３１に連通する様態で設けてある。
【００２６】
本体１の上面壁１１であって本体１正面の近傍の部分は、アーム部２へ向かうに従って高さ寸法が漸次大きくなる斜面にしてあり、この斜面部分には、洗浄・乾燥運転の種類を選択するための選択ボタン４１、後述するように充電を行わせるための充電ボタン４２が横方向へ相隣らせて配設してある。選択ボタン４１及び充電ボタン４２は、タクトスイッチ及び該タクトスイッチを覆い防水機能を有するフィルム状の接触部を具備しており、両接触部の面積、即ち選択ボタン４１及び充電ボタン４２の面積は、選択ボタン４１の方が充電ボタン４２より大きい。
【００２７】
このように、選択ボタン４１とは別に充電ボタン４２が設けてあるため、所要のタイミングで確実に充電操作を実行させることができる。また、選択ボタン４１及び充電ボタン４２を相隣らせて配設してあるので、ユーザのボタン操作性が向上する。一方、充電ボタン４２の面積より選択ボタン４１の面積を大きくしてあるため、使用回数が多い選択ボタン４１の方をユーザに注目させることができる。
【００２８】
なお、本実施の形態では、フィルム状の接触部を具備する選択ボタン４１及び充電ボタン４２について説明したが、プラスチック製の剛体にて形成した箱状の選択ボタン及び充電ボタンであってもよい。
【００２９】
また、前記斜面部分の選択ボタン４１及び充電ボタン４２の上方位置には、洗浄中であることを示す洗浄ランプ４３、乾燥中であることを示す乾燥ランプ４４、充電中であることを示す充電ランプ４５、及び運転異常であることを示すチェックランプ４６が、横方向へ距離を隔てて配置してある。
【００３０】
本体１の周面壁１２及び上面壁１１は昇降可能になしてあり、図示しないばねによって周面壁１２及び上面壁１１が上方向へ付勢されている。周面壁１２及び上面壁１１は前記ばねの付勢に抗して降下位置に固定されるようになっており、周面壁１２の側部には前述した固定を解除する開ボタン１３が前記周面壁１２を貫通する様態で設けてある。この開ボタン１３を押下することによって、周面壁１２及び上面壁１１は開放され、前記ばねの付勢によって上昇される。この状態で後述する洗浄タンクを交換し得るようになしてある。
【００３１】
ところで、前述したアーム部２は、略倒立Ｌ字形状をなしており、頂部２１はアーム部２の長手方向へ伸縮可能になしてある。一方、図２に示したように電気かみそりＳの本体部１１０の底部には凹部１２０が設けてあり、該凹部１２０内には複数本（図２では３本）のプラグピン１２１，１２１，１２１が立設してある。そして、前述した頂部２１の裏面には、前記プラグピン１２１，１２１，１２１を嵌入させるソケット２３が垂下してある。
【００３２】
なお、後述するようにプラグピン１２１，１２１，１２１の内の一対のプラグピン１２１，１２１はソケット２３から駆動用電力が供給されるようになっており、他のプラグピン１２１は電気かみそり用洗浄装置Ｗからの指令信号が与えられるようになっている。つまり、前記一対のプラグピン１２１，１２１は被給電用接点として機能しており、他のプラグピン１２１は信号用接点として機能している。従って、ソケット２３にあっても、前記一対のプラグピン１２１，１２１に連結する部分は給電用接点として機能しており、前記他のプラグピン１２１に連結する部分は信号用接点として機能している。
【００３３】
なお、本実施の形態では信号用接点としての他のプラグピン１２１を設けた場合について説明したが、本発明はこれに限らず、駆動用電力に指令信号を重畳させることによって、一対のプラグピン１２１，１２１だけを設ける構成にしてもよい。
【００３４】
また、アーム部２の内周面には、電気かみそりＳの把持部を兼ね備える本体部１１０の周面であって下端近傍の部分を保持する平板状の保持部２２が突設してあり、保持部２２の先端部は本体部１１０の周面の形状に応じた凹形状になしてある。
【００３５】
そして、頂部２１を伸長させた状態で電気かみそりＳのヘッド部を前記本体１の受け部３に装入させるとともに、電気かみそりＳの本体部１１０の周面であって下端近傍の部分を保持部２２に保持させた状態で、頂部２１を収縮させることによって、頂部２１のソケット２３を電気かみそりＳのプラグピン１２１，１２１，１２１に外嵌連結させて、電気かみそり用洗浄装置Ｗに電気かみそりＳを倒立姿勢に支持させる。
【００３６】
図３は、図１に示した電気かみそり用洗浄装置ＷのＩＩＩ−ＩＩＩ線による断面図であり、図４及び図５は、図２に示した電気かみそり用洗浄装置Ｗ及び電気かみそりＳのＩＶ−ＩＶ線による断面図及びＶ−Ｖ線による断面図である。なお、これらの図面中、図１及び図２に示した部分に対応する部分には同じ番号を付してその説明を省略する。
【００３７】
図３から図５に示したように、本体１の正面側内部には、受け部３内へ送風すべくモータ及び軸流ファンを具備する送風機５０が配置してあり、該送風機５０から送られる風によって受け部３に装入させた電気かみそりＳのヘッド部１００を乾燥させるようになっている。
【００３８】
また、受け部３のアーム部２側の適宜位置には、該受け部３に装入された電気かみそりＳのヘッド部１００内へ洗浄液を供給するノズル５３が配設してあり、ノズル５３の一端部は受け部３内に所要寸法だけ突出するように壁面を貫通する様態で設けてあり、ノズル５３の他端部は後述するタンク６０とノズル５３との間を結ぶ導液路７０の一端に連結されている。導液路７０の中途位置には汲み上げ用モータ７２の出力軸に外嵌した羽部７３を内蔵するポンプ部７１が介装してあり、導液路７０の他端は前記受け部３の下方位置に着脱可能に配設されたタンク６０の吐出口に水密状態を保って連結してある。
【００３９】
タンク６０内には断面視がＷ字形状のフィルタ６１が設置してあり、タンク６０の天井部６２であって、前記フィルタ６１のＷ字形状の中央位置に臨む部分には、廃液を導入させる導入口が開設してあり、該導入口には、タンク６０内の洗浄液の蒸発を防止する外観円筒状の弁部材６５の一端を内嵌してある。この弁部材６５の他端は受け部３の底部に当接させてあり、受け部３の底部には弁部材６５に連通する廃液孔が開設してある。これによって、受け部３の底部に溜まった廃液は、受け部３に開設された廃液孔から弁部材６５内を通ってタンク６０のフィルタ６１上に導入される。
【００４０】
ところで、前述した電気かみそりＳは、縦方向へ長く、側面視が略へ字形状をなした本体の一端にヘッド部１００を設けてなり、ヘッド部１００は本体の長手方向へ、及び本体の正面に対して前後左右方向へ、進退自在及び揺動自在になしある。このヘッド部１００内には、円筒体の表面に複数の螺旋状刃を立設してなる内刃１０２，１０２が回転軸をヘッド部１００の横方向へ位置するように配置してあり、内刃１０２，１０２の回転軸には、本体のヘッド部１００近傍に内蔵されたモータ（図８参照）の出力軸からの駆動力が図示しない伝動ベルトを介して伝えられるようになっている。また、本体部１１０内には充放電可能なバッテリＢ、及び前記モータの駆動・駆動停止等を制御する第２制御部（図８参照）も内蔵されている。
【００４１】
一方、本体部１１０の正面には、前記モータのオン・オフを行う電源ボタン１１２、バッテリＢの充電状態を報知する報知部１１１が、本体部１１０の長手方向へ一列に配置してあり、図２に示したように、電気かみそりＳを倒立姿勢で前述した電気かみそり用洗浄装置Ｗに支持させた場合、電気かみそりＳの報知部１１１と、電気かみそり用洗浄装置Ｗの充電ランプ４５及び選択ボタン４１とが略縦一列になるようになしてある。
【００４２】
前述した報知部１１１は、例えば、複数のＬＥＤを設け、各ＬＥＤの点灯数によって、バッテリＢに蓄えられている電気量を報知する構成にしてもよいし、液晶表示部を設け、数字、又はピクトグラフといったグラフによって、バッテリＢに蓄えられている電気量を報知する構成にしてもよい。
【００４３】
前述したヘッド部１００には、ユーザの肌に当接する網状の外刃１０１が前記内刃１０２，１０２に摺接する様態で対向配置してあり、外刃１０１はヘッド部１００の先端に着脱可能に取り付けた外刃ホルダ１０３によって略半円筒状の形状に保持されている。
【００４４】
図６は、図２に示した電気かみそりＳの背面図である。
外刃ホルダ１０３の本体部１１０近傍であって、ヘッド部１００の背面側の部分には、内部へ洗浄液を導入するための洗浄液導入孔が外刃ホルダ１０３を貫通する様態で開設してあり、これら洗浄液導入孔を塞止するシャッタ１０４，１０４が本体部１１０の長手方向へスライド可能に設けてある。シャッタ１０４，１０４の表面であって、本体部１１０とは反対側の縁部には係合部１０５,１０５が突設してあり、また、両シャッタ１０４，１０４は、図示しないばねによって本体部１１０から離隔する方向へ付勢されている。
【００４５】
これによって、髭剃り時には前記ばねの付勢によってシャッタ１０４，１０４は洗浄液導入孔を塞止するので、外刃ホルダ１０３内の髭滓がヘッド部１００の外へ飛散されることが防止される。
【００４６】
一方、係合部１０５,１０５に係合させて、前述したばねの付勢に抗してシャッタ１０４，１０４を本体部１１０側へスライドさせることによって、洗浄液導入孔を開状態になすことができる。
【００４７】
ここで前述した如く、電気かみそり用洗浄装置Ｗのノズル５３の一端は受け部３内に所要寸法だけ突出させてあり（図３参照）、受け部３に電気かみそりＷのヘッド部１００を装入させると、ノズル５３の一端部外周面が一方のシャッタ１０４の係合部１０５に係合し、ヘッド部１００の装入力によってシャッタ１０４がスライドして洗浄液導入孔が開され、この洗浄液導入孔にノズル５３の吐出口が対向配置されるようになっている。
【００４８】
電気かみそり用洗浄装置Ｗの受け部３には、前記ノズル５３より少し高い位置に段差部が設けてあり、この段差部に電気かみそりＷの本体１１０に設けられた凸部が係合し、電気かみそりＷは前記段差部によって、前述したように洗浄液導入孔にノズル５３の吐出口が対向配置される様態で受け部３の底部から適宜の距離を隔てて支持されている。  このように電気かみそり用洗浄装置Ｗの受け部３に電気かみそりＳのヘッド部１００が装入され、後述するように所定の操作が実施されると、タンク６０内の洗浄液がポンプ部７１によって汲み上げられ、ノズル５３から洗浄液導入孔を通して電気かみそりＳのヘッド部１００内へ吐出され、ヘッド部１００の外刃１０１から廃液となって受け部３の底部に溜まる。この廃液は、受け部３に開設された廃液孔から弁部材６５内を通ってタンク６０のフィルタ６１上に導入され、そこで髭滓・皮脂等が濾別され、タンク６０内のフィルタ６１の外側領域に濾過・再生された洗浄液が貯留される。
【００４９】
なお、本実施の形態では、一本のノズル５３によって電気かみそりＳに設けた一方のシャッタ１０４を開させるようにしたが、本発明はこれに限らず、電気かみそり用洗浄装置Ｗに二本のノズルを設けておき、両ノズルによって電気かみそりＳに設けた両シャッタ１０４，１０４を開させるようにしてもよい。これによって、電気かみそりＳのヘッド部１００内に大量の洗浄液を導入させることができる。また、電気かみそり用洗浄装置Ｗのヘッド部１００に対向する適宜位置に前記ノズル５３に対応する突起部を設けておき、該突起部によって電気かみそりＳに設けた他方のシャッタ１０４を開させるようにしてもよい。
これによって、外刃１０１の目の直径より大きい直径の孔より廃液を排出することができるため、ヘッド部１００内に残存する比較的大きな塊を効率的に排出させることができる。
【００５０】
なお、本実施の形態では、電気かみそりＳに二対の洗浄液導入孔及びシャッタ１０４，１０４を設けた場合について示してあるが、一対の洗浄液導入孔及びシャッタ１０４を設けるようにしてもよいことはいうまでもない。
【００５１】
一方、本実施の形態では、回転駆動させる内刃１０２，１０２と外刃１０１とが設けてあるヘッド部１００について説明したが、本発明はこれに限らず、リニア駆動させる内刃と外刃とが設けてあるヘッド部、また、外刃を設けることなく、例えば、筒体の周面に肌切れ防止のワイヤを張架した複数のかみそり刃を立設してなる回転刃を裸状に備えるヘッド部であってもよい。
【００５２】
なお、本実施の形態では、受け部３に設けた段差形状の部分によって電気かみそりＳを宙吊り状態に支持するようになしてあるが、本発明はこれに限らず、受け部３に突設したリブに電気かみそりＳのヘッド部１００を当接させて電気かみそりＳを支持するようにしてもよい。
【００５３】
図７は、図１に示した電気かみそり用洗浄装置Ｗの駆動制御系の要部構成を示すブロック図である。
図７に示したように、電気かみそり用洗浄装置Ｗに接続されたアダプタ９０には商用交流電圧電源から定格の交流電圧が与えられるようになっており、アダプタ９０は与えられた交流電圧を直流電圧に変換して電気かみそり用洗浄装置Ｗに内蔵された電源回路８０に与え、電源回路８０は、それを適宜電圧になして前述した汲み上げ用モータ７２及び送風機５０、並びにこれら汲み上げ用モータ７２及び送風機５０等の動作を制御する第１制御部５に印加するようにようになっている。
【００５４】
また、アダプタ９０からの直流電圧は、スイッチ手段（切替スイッチ手段）８５を介して電気かみそりに接続するソケット２３にも与えられるようになっており、従ってスイッチ手段８５が閉の場合、ソケット２３に接続した電気かみそりに直流電圧が供給される。
このスイッチ手段８５の開／閉動作は第１制御部５によって制御されるようになっている。
【００５５】
また、第１制御部５には、前述した選択ボタン４１及び充電ボタン４２からそれぞれ押下信号も与えられるようになっており、第１制御部５は選択ボタン４１及び／又は充電ボタン４２から押下信号が与えられた場合、後述するような制御操作を実行する。
【００５６】
一方、図８は、前述した電気かみそりＳの駆動制御系の要部構成を示すブロック図である。
図８に示したように、電気かみそり用洗浄装置Ｗのソケット２３（共に図７参照）に接続される一対のプラグピン（被給電用接点）１２１，１２１に与えられた直流電圧は前述したバッテリＢ及び内刃を駆動するモータ１３０にそれぞれ与えられるようになっており、プラグピン１２１，１２１とバッテリＢとの間、及びプラグピン１２１，１２１とモータ１３０との間にはそれぞれ第１スイッチ手段１７１及び第２スイッチ手段１７２が介装してある。両第１スイッチ手段１７１及び第２スイッチ手段１７２の開閉動作は第２制御部１５０によって制御されるようになっており、両第１スイッチ手段１７１及び第２スイッチ手段１７２を開・閉させることによってバッテリＢへの充電及びモータ１３０の駆動が制御される。
【００５７】
バッテリＢに蓄えられている電気量は検出回路１６０によって検出されるようになっており、検出回路１６０はその検出結果を第２制御部１５０に与える。第２制御部１５０は、検出回路１６０から検出値が与えられると、報知部１１１をして検出値を報知せしめる。
【００５８】
また、第２制御部１５０には予め閾値が設定してあり、第２制御部１５０は検出回路１６０から与えられた検出値と前記閾値とを比較して検出値が閾値以下であった場合、フラグ設定部１５１にフラグを設定する。
【００５９】
一方、第２制御部１５０には他のプラグピン（信号用接点）１２１を介して電気かみそり用洗浄装置Ｗから種々の指令信号も与えられるようになっており、第２制御部１５０は与えられた指令信号に基づいて後述するような制御操作を実行する。
【００６０】
図９〜図１３は、図７に示した電気かみそり用洗浄装置Ｗの第１制御部５による制御手順を示すフローチャートである。
第１制御部５は、選択ボタン４１から信号が与えられたか否か（ステップＳ１）、当該信号が与えられていない場合は充電ボタン４２から信号が与えられたか否か（ステップＳ２）を繰り返し判断している。
【００６１】
第１制御部５は、ステップＳ１で選択ボタン４１から信号が与えられたと判断した場合、内蔵するタイマをリセットして計時を開始し（ステップＳ５）、所定時間経過したか否かを判断する（ステップＳ６）。第１制御部５は、所定時間経過していないと判断した場合、再び選択ボタン４１から信号が与えられたか否かを判断し（ステップＳ７）、選択ボタン４１から信号が与えられていない場合、充電ボタン４２から信号が与えられたか否かを判断する（ステップＳ８）
。
【００６２】
そして、第１制御部５は、ステップＳ６で所定時間経過したと判断するまで、ステップＳ７及びステップＳ８で、選択ボタン４１及び充電ボタン４２のいずれからも信号が与えられていないと判断した場合、電気かみそりＳのヘッド部１００を洗浄する洗浄モードの後に当該ヘッド部１００を乾燥させる乾燥モードを行い、電気かみそりＳに内蔵されたバッテリＢに蓄えられた電気量に応じて必要であれば充電を実施する運転が指定されたと判断して、図７に示したスイッチ手段８５を閉させて（ステップＳ１０）、ソケット２３からこれに接続した電気かみそりＳのプラグピン１２１，１２１に給電させた後、後述する洗浄モード制御（ステップＳ１１）に続いて後述する乾燥モード制御（ステップＳ１２）を実行する。
【００６３】
第１制御部５は、洗浄モード制御及び乾燥モード制御が終了すると、電気かみそりＳに内蔵されたバッテリＢに蓄えられた電気量に応じて必要な場合に充電を実施させる第１充電指令をソケット２３及びこれに接続したプラグピン１２１を介して電気かみそりＳに与える（ステップＳ１３）。
【００６４】
図１６は洗浄モード制御を説明するタイミングチャートであり、図中（ａ）は電気かみそりＳの第２制御部１５０による第１スイッチ手段１７１の開／閉制御のタイミングチャート（充電ストップ波形）を、（ｂ）は電気かみそり用洗浄装置Ｗの第１制御部５による汲み上げ用モータ７２のオン・オフ制御のタイミングチャート（汲み上げ用モータ波形）を、（ｃ）は電気かみそりＳの第２制御部１５０によるモータ１３０のオン・オフ制御のタイミングチャート（電気かみそりＳのモータ波形）をそれぞれ示している。
【００６５】
図１６（ａ）に示したように、電気かみそりＳの第２制御部１５０は、電気かみそり用洗浄装置Ｗの第１制御部５から洗浄モード指令が与えられると、第１スイッチ手段１７１に所定時間（例えば１５秒間程度）だけＬｏ信号を与えて閉させることによってバッテリＢに充電させる動作を所定回数（図１６にあっては４回）行った後、第１スイッチ手段１７１に所定時間（例えば１４０秒間程度）だけＨｉ信号を与えて開させる開／閉制御を行う。
【００６６】
このように、バッテリＢに充電することによって、後述するモータ１３０による内刃１０２，１０２の駆動に要する電力を予め補充しておくことができる。
なお、かかる充電動作は、後述する充電モードにおける充電動作とは異なり、バッテリに蓄えられた電気量に拘らず実行される。
【００６７】
一方、図１６（ｂ）に示したように、電気かみそり用洗浄装置Ｗの第１制御部５は、汲み上げ用モータ７２に所定時間（例えば１３秒間程度）ずつＨｉ信号を与えて間欠作動させる動作を所定回数（図１６にあっては４回）行った後、汲み上げ用モータ７２に所定時間（例えば１４０秒間程度）だけＨｉ信号を与えて連続作動させるオン・オフ制御を行う。なお、図１６（ａ）（ｂ）に示したように、バッテリＢへ間欠的に充電する充電区間は、汲み上げ用モータ７２が作動していない領域に設定されている。
【００６８】
このように、汲み上げ用モータ７２を間欠駆動させることによって、電気かみそりＳのヘッド部１００内に洗浄液を供給・排出させることができ、これによってヘッド部１００内の髭滓及び皮脂等を浮き上がらせると共に、洗浄液を排出させるときの吸引力によって浮き上がらせた髭滓及び皮脂等を排除させることができる。
【００６９】
更に、図１６（ｃ）に示したように、電気かみそりＳの第２制御部１５０は、電気かみそり用洗浄装置Ｗの第１制御部５から洗浄モード指令が与えられると、所定時間（例えば１２０秒間程度）待機した後、モータ１３０に所定時間（例えば３秒間程度）ずつＨｉ信号を与えて間欠作動させる動作を所定回数（図１６にあっては１０回）行うオン・オフ制御を行う。
【００７０】
このように洗浄液がヘッド部１００内に連続的に供給されている間にモータ１３０及び内刃１０２，１０２を間欠駆動させることによって、内刃１０２，１０２の表面に付着した髭滓及び皮脂等を浮き上がらせるとともに起動時の衝撃により効率的に洗浄・除去することができる。
【００７１】
図１７は乾燥モード制御を説明するタイミングチャートであり、図中（ａ）は電気かみそりＳの第２制御部１５０による第１スイッチ手段１７１の開／閉制御のタイミングチャート（充電ストップ波形）を、（ｂ）は電気かみそり用洗浄装置Ｗの第１制御部５による送風機５０のオン・オフ制御のタイミングチャート（送風機駆動波形）を、（ｃ）は電気かみそりＳの第２制御部１５０によるモータ１３０のオン・オフ制御のタイミングチャート（電気かみそりＳのモータ波形）をそれぞれ示している。
【００７２】
図１７（ａ）に示したように、電気かみそりＳの第２制御部１５０は、電気かみそり用洗浄装置Ｗの第１制御部５から乾燥モード指令が与えられると、第１スイッチ手段１７１に乾燥時間中（例えば１８００秒間程度）Ｈｉ信号を与えて開させることによってバッテリＢの充電を停止させるオン・オフ制御を行う。
【００７３】
一方、図１７（ｂ）に示したように、電気かみそり用洗浄装置Ｗの第１制御部５は、送風機５０に乾燥時間中（例えば１８００秒間程度）Ｈｉ信号を与えて連続的に送風させるオン・オフ制御を行う。
【００７４】
更に、図１７（ｃ）に示したように、電気かみそりＳの第２制御部１５０は、電気かみそり用洗浄装置Ｗの第１制御部５から洗浄モード指令が与えられると、所定時間（例えば８００秒間程度）待機した後、モータ１３０に所定時間（例えば３秒間程度）ずつＨｉ信号を与えて間欠作動させる動作を所定回数（図１７にあっては５回）行うオン・オフ制御を行う。
【００７５】
このように、乾燥運転中にモータ１３０を間欠駆動させることによって、内刃１０２，１０２が間欠駆動され、内刃１０２，１０２に残存する洗浄液を効率的に乾燥させることができる。
【００７６】
ところで、前述したステップＳ８にて充電ボタン４２から信号が与えられたと判断した場合、電気かみそり用洗浄装置Ｗの第１制御部５は、電気かみそりＳのヘッド部１００を洗浄する洗浄モードの後に当該ヘッド部１００を乾燥させる乾燥モードを行い、電気かみそりＳに内蔵されたバッテリＢに蓄えられた電気量に拘らず充電を実施する運転が指定されたと判断して、図７に示したスイッチ手段８５を閉させて（ステップＳ２０）、ソケット２３からこれに接続した電気かみそりＳのプラグピン１２１，１２１に給電させた後、前述した洗浄モード制御（ステップＳ２１）に続いて乾燥モード制御（ステップＳ２２）を実行する。
【００７７】
第１制御部５は、洗浄モード制御及び乾燥モード制御が終了すると、バッテリＢに蓄えられた電気量に拘らず充電を実施させる第２充電指令をソケット２３及びこれに接続したプラグピン１２１を介して電気かみそりＳに与える（ステップＳ２３）。
【００７８】
一方、前述したステップＳ７で、再び選択ボタン４１から信号が与えられたと判断した場合、第１制御部５は、タイマをリセットして計時を開始し（ステップＳ３０）、所定時間経過したか否かを判断する（ステップＳ３１）。第１制御部５は、所定時間経過していないと判断した場合、充電ボタン４２から信号が与えられたか否かを判断する（ステップＳ３２）。
【００７９】
第１制御部５は、ステップＳ３２で充電ボタン４２から信号が与えられたと判断するか、ステップＳ３１で所定時間経過したと判断するまでステップＳ３１及びステップＳ３２の動作を繰り返し、充電ボタン４２から信号が与えられることなく所定時間が経過した場合、洗浄モードを行うことなく乾燥モードを行い、電気かみそりＳに内蔵されたバッテリＢに蓄えられた電気量に応じて必要であれば充電を実施する運転が指定されたと判断して、図７に示したスイッチ手段８５を閉させて（ステップＳ４０）、ソケット２３からこれに接続した電気かみそりＳのプラグピン１２１，１２１に給電させた後、前述した乾燥モード制御（ステップＳ４１）を実行する。
【００８０】
第１制御部５は、乾燥モード制御が終了すると、電気かみそりＳに内蔵されたバッテリＢに蓄えられた電気量に応じて必要な場合に充電を実施させる第１充電指令をソケット２３及びこれに接続したプラグピン１２１を介して電気かみそりＳに与える（ステップＳ４２）。
【００８１】
一方、第１制御部５は、所定時間が経過するまでに、ステップＳ３２にて充電ボタン４２から信号が与えられたと判断した場合、洗浄モードを行うことなく乾燥モードを行い、電気かみそりＳに内蔵されたバッテリＢに蓄えられた電気量に拘らず充電を実施する運転が指定されたと判断して、スイッチ手段８５を閉させて（ステップＳ５０）、ソケット２３からこれに接続した電気かみそりＳのプラグピン１２１，１２１に給電させた後、前述した乾燥モード制御（ステップＳ５１）を実行する。
【００８２】
第１制御部５は、乾燥モード制御が終了すると、バッテリＢに蓄えられた電気量に拘らず充電を実施させる第２充電指令をソケット２３及びこれに接続したプラグピン１２１を介して電気かみそりＳに与える（ステップＳ５２）。
【００８３】
ところで、選択ボタン４１から信号が与えられることなく、ステップＳ２において充電ボタン４２から信号が与えられた場合、第１制御部５は、洗浄モード及び乾燥モードを行うことなく充電モードを実施する運転が指定されたと判断して、スイッチ手段８５を閉させて（ステップＳ７０）、ソケット２３からこれに接続した電気かみそりＳのプラグピン１２１，１２１に給電させた後、バッテリＢに蓄えられた電気量に拘らず充電を実施させる第２充電指令をソケット２３及びこれに接続したプラグピン１２１を介して電気かみそりＳに与える（ステップＳ７１）。
【００８４】
そして、第１制御部５は、ステップＳ１３，Ｓ２３，Ｓ４２，Ｓ５２，Ｓ７１で第１充電指令又は第２充電指令を出力した場合、タイマをリセットして計時を開始し（ステップＳ８０）、所定時間（例えば１８０分）経過したか否かを判断する（ステップＳ８１）。第１制御部５はステップＳ８１で所定時間経過したと判断するまで待機し、所定時間経過したと判断した場合、充電停止信号を電気かみそりＳへ出力した後（ステップＳ８２）、前記スイッチ手段８５を開させる（ステップＳ８３）。
【００８５】
このように、洗浄モード、乾燥モード、及び充電モードが実施される場合だけ、スイッチ手段８５が閉されて、ソケット２３及びこれに接続したプラグピン１２１，１２１に電力が供給されるため、ソケット２３とプラグピン１２１，１２１との間の電蝕を可及的に防止することができ、ソケット２３及びプラグピン１２１，１２１の寿命を延ばすことができる。
【００８６】
なお、以上において第１制御部５は、充電ボタン４２から信号が与えられたときであっても、当該タイミングから所定時間内に選択ボタン４１から信号が与えられた場合、充電ボタン４２から信号に対応する動作は実行しないようになっている。
【００８７】
図１４は、図８に示した電気かみそりＳの第２制御部１５０による制御手順を示すフローチャートである。
電気かみそりＳの第２制御部１５０は、電気かみそりＳに内蔵されたバッテリＢの電圧の検出制御を所定の間隔で実施している（ステップＳ９０）。
【００８８】
図１５は、図１４に示したバッテリ電圧検出制御の手順を示すフローチャートである。
図１５に示したように、第２制御部１５０は、検出タイミングであるか否かを判断し（ステップＳ９１）、検出タイミングであると判断した場合、前述した検出回路１６０から検出値を取り込む（ステップＳ９２）。第２制御部１５０には予め閾値が設定してあり、第２制御部１５０は、検出値と閾値とを比較して検出値が閾値以下であるか否かを判断する（ステップＳ９３）。
【００８９】
そして、第２制御部１５０は、検出値が閾値以下である場合、図８に示したフラグ設定部１５１にフラグを設定する（ステップＳ９４）。一方、第２制御部１５０は、検出値が閾値以下でない場合、ステップＳ９４をスキップしてリターンする。
【００９０】
一方、図１４に示したように、第２制御部１５０は、電気かみそり用洗浄装置Ｗから前述した洗浄モード制御に係る信号が与えられたか否かを判断し（ステップＳ１００）、当該信号が与えられたと判断した場合、対応する駆動制御を実行する（ステップＳ１０１）。
【００９１】
また、第２制御部１５０は、ステップＳ１００で洗浄モード制御に係る信号が与えられていないと判断した場合、電気かみそり用洗浄装置Ｗから前述した乾燥モード制御に係る信号が与えられたか否かを判断し（ステップＳ１１０）、当該信号が与えられたと判断した場合、対応する駆動制御を実行する（ステップＳ１１１）。
【００９２】
第２制御部１５０は、洗浄モード制御に係る信号も、乾燥モード制御に係る信号も与えられていない場合、電気かみそり用洗浄装置Ｗから前述した第１充電指令信号が与えられたか否かを判断し（ステップＳ１２０）、それが与えられていない場合、前述した第２充電指令信号が与えられたか否かを判断する（ステップＳ１２１）。そして、第２制御部１５０は、いずれの信号も与えられていないと判断した場合、ステップＳ９０へ戻る。
【００９３】
一方、第２制御部１５０は、ステップＳ１２０で第１充電指令信号が与えられたと判断した場合、フラグ設定部１５１を参照してそこにフラグが設定されているか否かを判断し（ステップＳ１２２）、フラグが設定されていると判断した場合、図８に示した第１スイッチ手段１７１を閉にしてバッテリＢへの充電を実行する（ステップＳ１２３）。第２制御部１５０は、検出回路１６０から検出値が満充電に対応して定めた所定値に達しているか否かを判断し（ステップＳ１２４）、所定値に達していない場合、電気かみそり用洗浄装置Ｗから充電停止指令信号が与えらたか否かを判断する（ステップＳ１２５）。第２制御部１５０は、検出値が所定値に達していると判断するか、又は充電停止指令信号が与えらたと判断するまでステップＳ１２４及びステップＳ１２５を繰り返した後、第１スイッチ手段１７１を開にしてバッテリＢへの充電を停止し（ステップＳ１２６）、フラグ設定部１５１に設定したフラグを解除する（ステップＳ１２７）。
【００９４】
これによって、バッテリＢに蓄えられた電気量が予め定めた閾値より多い場合にはバッテリＢへの充電が実施されず、バッテリＢに蓄えられた電気量が前記閾値以下の場合にバッテリＢへの充電が実施されるため、バッテリＢが適宜電容量を放電するまで充電が行われることが回避される。従って、電気かみそりＳを使用する都度、当該電気かみそりＳを電気かみそり用洗浄装置Ｗで洗浄する場合であっても、電気かみそりＳに内蔵されたバッテリＢが蓄えることができる電気容量が急激に減少することを防止し、バッテリＢの寿命を可及的に長くすることができる。
【００９５】
一方、第２制御部１５０は、ステップＳ１２１で第２充電指令信号が与えられたと判断した場合、ステップＳ１２２をスキップして前述したステップＳ１２３〜ステップＳ１２５までの動作を実行して、フラグ設定部１５１の状態に拘らず、即ちバッテリＢに蓄えられている電気量に拘らず、バッテリＢへの充電を実施する。
【００９６】
これによって、旅行・出張等、電気かみそりＳを一定期間充電させることができない予定が存在する場合、バッテリＢに蓄えられている電気量に拘らず、当該バッテリＢを予め満充電させておくことができる。
【００９７】
一方、第２充電指令信号は、前述したようにユーザが任意のタイミングで電気かみそり用洗浄装置Ｗに対して所定の操作を行ったときだけ電気かみそり用洗浄装置Ｗから電気かみそりＳに与えられるので、バッテリＢが蓄えることができる電気容量が急激に減少することはない。
【００９８】
なお、本実施の形態では、第１充電信号が電気かみそりＳの第２制御部１５０に与えられた場合、第２制御部１５０がフラグ設定部１５１を参照してそこにフラグが設定されているかを判断し、フラグが設定されていない場合、第１スイッチ手段１７１を開にしてバッテリＢへの充電を実施しないようになしてあるが、本発明はこれに限らず、例えば、電気かみそりＳの乾燥動作が終了するタイミングで、第１制御部５は第２制御部１５０に検出回路１６０から検出値を取り込んで、それを第１制御部５へ送信させる指令を与え、検出値が送信された場合、当該検出値が予め第１制御部５に設定された閾値以下であるか否かを判断し、そうである場合、第１スイッチ手段１７１を閉にさせる指令を第２制御部１５０に与え、そうでない場合、第１スイッチ手段１７１を適宜時間だけ開にさせる指令を第２制御部１５０に与えるようにしてもよい。
【００９９】
また、検出値の送信に代えて、第２制御部１５０をしてフラグ設定部１５１にフラグが設定されているか否かを判断した結果を第１制御部５に送信せしめるようにしてもよい。
これによって、前同様、バッテリＢが適宜電気量を放電するまで充電が行われることが回避され、電気かみそりＳを使用する都度、当該電気かみそりＳを電気かみそり用洗浄装置Ｗで洗浄する場合であっても、電気かみそりＳに内蔵されたバッテリＢが蓄えることができる電気容量が急激に減少することを防止し、バッテリＢの寿命を可及的に長くすることができる。
【０１００】
また、本実施の形態では、電気かみそり用洗浄装置Ｗは、ノズル５３から電気かみそりＳのヘッド部１００内へ洗浄液を吐出する構成にしてあるが、本発明はこれに限らず、ヘッド部１００を洗浄容器に貯留させた洗浄液に浸漬させるようになした構成、洗浄液をヘッド部１００の外刃１０１へ噴出してヘッド部１００内へ導入させるようになした構成等であってもよいことはいうまでもない。
【０１０１】
また、本実施の形態では、電気かみそり用洗浄装置Ｗに設けた１つの選択ボタン４１によって、洗浄モードの後に乾燥モードを実施する第１動作と、乾燥モードを実施する第２動作とを選択すると共に、運転開始を実行するようになしてあるが、本発明はこれに限らず、第１動作、第２動作及び運転開始に対応する３つのボタンを設けるようにしてもよい。
【図面の簡単な説明】
【０１０２】
【図１】本発明に係る電気かみそり用洗浄装置を示す外観斜視図である。
【図２】図１に示した電気かみそり用洗浄装置の受け部に電気かみそりのヘッド部を装入させた状態を示す外観斜視図である。
【図３】図１に示した電気かみそり用洗浄装置のＩＩＩ−ＩＩＩ線による断面図である。
【図４】図２に示した電気かみそり用洗浄装置及び電気かみそりのＩＶ−ＩＶ線による断面図である。
【図５】図２に示した電気かみそり用洗浄装置及び電気かみそりのＶ−Ｖ線による断面図である。
【図６】図２に示した電気かみそりの背面図である。
【図７】図１に示した電気かみそり用洗浄装置の駆動制御系の要部構成を示すブロック図である。
【図８】電気かみそりの駆動制御系の要部構成を示すブロック図である。
【図９】図７に示した電気かみそり用洗浄装置の第１制御部による制御手順を示すフローチャートである。
【図１０】図７に示した電気かみそり用洗浄装置の第１制御部による制御手順を示すフローチャートである。
【図１１】図７に示した電気かみそり用洗浄装置の第１制御部による制御手順を示すフローチャートである。
【図１２】図７に示した電気かみそり用洗浄装置の第１制御部による制御手順を示すフローチャートである。
【図１３】図７に示した電気かみそり用洗浄装置の第１制御部による制御手順を示すフローチャートである。
【図１４】図８に示した電気かみそりの第２制御部による制御手順を示すフローチャートである。
【図１５】図１４に示したバッテリ電圧検出制御の手順を示すフローチャートである。
【図１６】洗浄モード制御を説明するタイミングチャートである。
【図１７】乾燥モード制御を説明するタイミングチャートである。
【符号の説明】
【０１０３】
１    本体
２    アーム部
３    受け部
５    第１制御部
２１    頂部
２３    ソケット
４１    選択ボタン
４２    充電ボタン
４５    充電ランプ
５０    送風機
６０    タンク
６１    フィルタ
７２    汲み上げ用モータ
８５    スイッチ手段（切替スイッチ手段）
１００    ヘッド部
１０１    外刃
１０２    内刃
１０３    外刃ホルダ
１１１    報知部
１２１    プラグピン
１５０    第２制御部
１５１    フラグ設定部
１７１    第１スイッチ手段
１７２    第２スイッチ手段
Ｗ    電気かみそり用洗浄装置
Ｓ    電気かみそり
【図１】
2008284277.tif 000003
【図２】
2008284277.tif 000004
【図３】
2008284277.tif 000005
【図４】
2008284277.tif 000006
【図５】
2008284277.tif 000007
【図６】
2008284277.tif 000008
【図７】
2008284277.tif 000009
【図８】
2008284277.tif 000010
【図９】
2008284277.tif 000011
【図１０】
2008284277.tif 000012
【図１１】
2008284277.tif 000013
【図１２】
2008284277.tif 000014
【図１３】
2008284277.tif 000015
【図１４】
2008284277.tif 000016
【図１５】
2008284277.tif 000017
【図１６】
2008284277.tif 000018
【図１７】
2008284277.tif 000019